(57)【特許請求の範囲】
【請求項１】
ＤＶＤオーディオ規格の符号化方式によってリニアＰＣＭを含む符号化方式でサンプリング周波数９６ｋＨｚ又は１９２ｋＨｚでサンプリングされてＤＶＤオーディオディスクに収納されるオーディオ信号と前記ＤＶＤオーディオディスクに収納される前記オーディオ信号に関する静止画とをそれぞれ復号してＩＥＥＥ１３９４規格におけるアイソクロナス転送方式のパケット化により前記ＤＶＤオーディオディスクを再生するプレーヤから記録装置に伝送する場合に、
前記伝送の前に前記プレーヤから前記記録装置に対してコピー許可用の暗証番号を要求し、前記プレーヤが暗証番号を確認した場合に前記伝送を開始するステップと、
前記アイソクロナス転送方式のパケット化において、第１のパケットをパケットヘッダとデータフィールドとにより構成し、さらに前記第１のパケット内のデータフィールドの内部に設けられたＣＩＰヘッダに、前記オーディオデータのサンプリング周波数を示す識別情報と、少なくとも前記オーディオデータのコピーフラグを含む制御データとを格納すると共に
前記プレーヤから前記ＤＶＤオーディオディスクを再生し前記記録装置にコピーする場合は、前記アイソクロナス転送方式の第１のパケットであってこのパケットに設けられるデータフィールドのリアルデータ領域に前記オーディオ信号のサンプリング周波数を４４．１ｋＨｚにダウンサンプリングした信号を収納する第１のパケットと、前記静止画と静止画のコピーフラグが付された第２のパケットとをそれぞれ生成し、
これら第１のパケット及び第２のパケットにより伝送するステップと、
から構成するようにしたことを特徴とするオーディオ信号及び静止画の伝送方法。
【請求項２】
ＤＶＤオーディオ規格の符号化方式によってリニアＰＣＭを含む符号化方式でサンプリング周波数９６ｋＨｚ又は１９２ｋＨｚでサンプリングされてＤＶＤオーディオディスクに収納されるオーディオ信号と前記ＤＶＤオーディオディスクに収納される前記オーディオ信号に関する静止画とをそれぞれ復号してＩＥＥＥ１３９４規格におけるアイソクロナス転送方式のパケット化により前記ＤＶＤオーディオディスクを再生するプレーヤから記録装置に伝送するオーディオ信号及び静止画の伝送システムにおいて、
前記伝送の前に前記プレーヤから前記記録装置に対してコピー許可用の暗証番号を要求し、前記プレーヤが暗証番号を確認した場合に前記伝送を開始する手段と、
前記アイソクロナス転送方式のパケット化において、第１のパケットをパケットヘッダとデータフィールドとにより構成し、さらに前記第１のパケット内のデータフィールドの内部に設けられたＣＩＰヘッダに、前記オーディオデータのサンプリング周波数を示す識別情報と、少なくとも前記オーディオデータのコピーフラグを含む制御データとを格納すると共に
前記プレーヤから前記ＤＶＤオーディオディスクを再生し前記記録装置にコピーする場合は、前記アイソクロナス転送方式の第１のパケットであってこのパケットに設けられるデータフィールドのリアルデータ領域に前記オーディオ信号のサンプリング周波数を４４．１ｋＨｚにダウンサンプリングした信号を収納する第１のパケットを生成する手段と、前記静止画と静止画のコピーフラグとが付された第２のパケットを生成する手段と、
前記第１のパケットと第２のパケットとを伝送する手段と、
から構成されたことを特徴とするオーディオ信号及び静止画の伝送システム。
【発明の詳細な説明】
【０００１】
【発明の属する技術分野】
本発明は、音声信号などを、シリアルインタフェースを介して伝送するためのオーディオ信号及び静止画の伝送方法並びに伝送システムに関する。
【０００２】
【従来の技術及び発明が解決しようとする課題】
シリアルインタフェースを用いた従来の伝送方法としては、例えば特開平７−２３５１３２号公報、特開平９−２００１６２号公報、特開平１０−１０６１４４号公報、特開平１０−１３６２８６号公報、特開平１０−１９０７０５号公報などに示されている。
【０００３】
ところで、最近では、各装置間相互においてより高品質な多量のデータを高速に伝送することが望まれている。
そして、そのよう高品質なデータを転送する場合には、特に、著作権管理が重要な問題となっている。
【０００４】
そこで、本発明は、上記の問題点に鑑み、これらの問題点を解決した音声信号などを、シリアルインタフェースを介して伝送するためのオーディオ信号及び静止画の伝送方法並びに伝送システムを提供するものである。
【０００５】
【課題を解決するための手段】
本発明は上記目的を達成するために、以下の１）及び２）に記載の手段より成る。
すなわち、
【０００６】
１）ＤＶＤオーディオ規格の符号化方式によってリニアＰＣＭを含む符号化方式でサンプリング周波数９６ｋＨｚ又は１９２ｋＨｚでサンプリングされてＤＶＤオーディオディスクに収納されるオーディオ信号と前記ＤＶＤオーディオディスクに収納される前記オーディオ信号に関する静止画とをそれぞれ復号してＩＥＥＥ１３９４規格におけるアイソクロナス転送方式のパケット化により前記ＤＶＤオーディオディスクを再生するプレーヤから記録装置に伝送する場合に、
前記伝送の前に前記プレーヤから前記記録装置に対してコピー許可用の暗証番号を要求し、前記プレーヤが暗証番号を確認した場合に前記伝送を開始するステップと、
前記アイソクロナス転送方式のパケット化において、第１のパケットをパケットヘッダとデータフィールドとにより構成し、さらに前記第１のパケット内のデータフィールドの内部に設けられたＣＩＰヘッダに、前記オーディオデータのサンプリング周波数を示す識別情報と、少なくとも前記オーディオデータのコピーフラグを含む制御データとを格納すると共に
前記プレーヤから前記ＤＶＤオーディオディスクを再生し前記記録装置にコピーする場合は、前記アイソクロナス転送方式の第１のパケットであってこのパケットに設けられるデータフィールドのリアルデータ領域に前記オーディオ信号のサンプリング周波数を４４．１ｋＨｚにダウンサンプリングした信号を収納する第１のパケットと、前記静止画と静止画のコピーフラグが付された第２のパケットとをそれぞれ生成し、
これら第１のパケット及び第２のパケットにより伝送するステップと、
から構成するようにしたことを特徴とするオーディオ信号及び静止画の伝送方法。
２）ＤＶＤオーディオ規格の符号化方式によってリニアＰＣＭを含む符号化方式でサンプリング周波数９６ｋＨｚ又は１９２ｋＨｚでサンプリングされてＤＶＤオーディオディスクに収納されるオーディオ信号と前記ＤＶＤオーディオディスクに収納される前記オーディオ信号に関する静止画とをそれぞれ復号してＩＥＥＥ１３９４規格におけるアイソクロナス転送方式のパケット化により前記ＤＶＤオーディオディスクを再生するプレーヤから記録装置に伝送するオーディオ信号及び静止画の伝送システムにおいて、
前記伝送の前に前記プレーヤから前記記録装置に対してコピー許可用の暗証番号を要求し、前記プレーヤが暗証番号を確認した場合に前記伝送を開始する手段と、
前記アイソクロナス転送方式のパケット化において、第１のパケットをパケットヘッダとデータフィールドとにより構成し、さらに前記第１のパケット内のデータフィールドの内部に設けられたＣＩＰヘッダに、前記オーディオデータのサンプリング周波数を示す識別情報と、少なくとも前記オーディオデータのコピーフラグを含む制御データとを格納すると共に
前記プレーヤから前記ＤＶＤオーディオディスクを再生し前記記録装置にコピーする場合は、前記アイソクロナス転送方式の第１のパケットであってこのパケットに設けられるデータフィールドのリアルデータ領域に前記オーディオ信号のサンプリング周波数を４４．１ｋＨｚにダウンサンプリングした信号を収納する第１のパケットを生成する手段と、前記静止画と静止画のコピーフラグとが付された第２のパケットを生成する手段と、
前記第１のパケットと第２のパケットとを伝送する手段と、
から構成されたことを特徴とするオーディオ信号及び静止画の伝送システム。
【０００７】
【発明の実施の形態】
以下、図面を参照して本発明の実施の形態を説明する。図１は本発明に適用される伝送方法、送信装置及び受信装置の第１の実施形態を示すブロック図、図２は図１のディスクプレーヤの処理を示すフローチャートである。
【０００８】
図１の例では、送信装置であるディスクプレーヤ１００と受信装置である記録装置２００がそれぞれデータ転送インタフェース（Ｉ／Ｆ）２００ａ、２００ｂを有し、データ転送Ｉ／Ｆ２００ａ、２００ｂが２本のＩＥＥＥ１３９４規格のシリアルインタフェース１８８−１、１８８−２を介して接続されている。ディスクプレーヤ１００は、例えばＤＶＤオーディオディスクに記録されているオーディオ信号と静止画信号を再生し、これをデータ転送Ｉ／Ｆ２００ａ、シリアルインタフェース１８８−１、１８８−２を介して記録装置２００に送信する。記録装置２００はこのオーディオ信号と静止画信号をシリアルインタフェース１８８−１、１８８−２、データ転送Ｉ／Ｆ２００ｂを介して受信して、例えばＤＶＤ−ＲＡＭディスクに記録する。このとき、一方のシリアルインタフェース１８８−１は受信又は送信用に選択的に使用され、他方のシリアルインタフェース１８８−２は送信専用に使用される。
【０００９】
図２を参照してディスクプレーヤ１００の動作を説明する。まず、データ転送Ｉ／Ｆ２００ａ、一方のシリアルインタフェース１８８−１を受信モードに設定し（ステップＳ１）、次いでデータ転送Ｉ／Ｆ２００ａ、２本のシリアルインタフェース１８８−１、１８８−２を介して記録装置２００との間で双方向伝送を行う（ステップＳ２）。次いで一方のシリアルインタフェース１８８−１を受信モードから送信モードに設定し（ステップＳ３）、次いで２本のシリアルインタフェース１８８−１、１８８−２を介して、転送レートが比較的高い信号を分散して記録装置２００に送信する（ステップＳ４）。すなわち、この例では他方のシリアルインタフェース１８８−２は常に送信モードに設定される。
【００１０】
送信データの具体例としては、サンプリング周波数が９６ｋＨｚのオーディオデータを４８ｋＨｚに間引き、分離した２系統の４８ｋＨｚオーディオデータをそれぞれシリアルインタフェース１８８−１、１８８−２を介して伝送する方法が考えられる。また、他の例として８チャネルオーディオデータを４チャネル×２グループに分割し、各グループ（４チャネル）をそれぞれシリアルインタフェース１８８−１、１８８−２を介して伝送する方法が考えられる。また、他の例として４８ｋＨｚの２チャネルオーディオデータを各チャネル毎に分離して、倍速でそれぞれシリアルインタフェース１８８−１、１８８−２を介して伝送する方法が考えられる。更に他の例として、ＤＶＤオーディオディスクにはオーディオ信号の他に静止画信号が記録されているので、オーディオ信号と静止画信号をそれぞれシリアルインタフェース１８８−１、１８８−２を介して伝送する方法が考えられる。
【００１１】
また、ステップＳ２における双方向伝送では、伝送データのコピーを管理するために、データ伝送の前にディスクプレーヤ１００から記録装置２００に対してコピー許可用の暗証番号を要求し、記録装置２００からディスクプレーヤ１００に対して暗証番号を送信する。そしてディスクプレーヤ１００が暗証番号を確認するとデータの送信を開始する。
【００１２】
なお、シリアルインタフェースは２本に限定されず、例えば図３、図４に示すように４本のシリアルインタフェース１８８−１〜１８８−４（及びデータ転送Ｉ／Ｆ２００ａ’、２００ｂ’）を用いてもよい。すなわち、まず、インタフェース１８８−１〜１８８−４の中の１本を受信モードに設定し（ステップＳ１１）、次いで２本を介して記録装置２００との間で双方向伝送を行う（ステップＳ１２）。次いで上記の受信モードのインタフェース１８８を送信モードに設定し（ステップＳ１３）、次いで４本のシリアルインタフェース１８８−１〜１８８−４を介して、転送レートが比較的高い信号を分散して記録装置２００に送信する（ステップＳ１４）。
【００１３】
この場合には、例えば１本のシリアルインタフェース１８８−１を受信又は送信用に選択的に使用し、他の３本のシリアルインタフェース１８８−２〜１８８−４を送信専用に使用するようにしてもよい。この場合には、例えば８チャネルオーディオデータを２チャネル×４に分割し、各グループ（２チャネルデータ）をそれぞれシリアルインタフェース１８８−１〜１８８−４を介して伝送する方法が考えられる。また、オーディオ信号と静止画信号をそれぞれ２本のシリアルインタフェース（１８８−１、１８８−２）、（１８８−３、１８８−４）を介して伝送する方法が考えられる。
【００１４】
本発明はまた、ＩＥＥＥ１３９４規格の伝送方式に代えてＩＥＣ９５８規格のオーディオ対応フォーマットにも適用することができる。
ＩＥＣ９５８規格は、本実施例のＩＥＥＥ１３９４規格のように双方向への伝送方式と異なり、一方方向のみの伝送方式であり、本実施例のように複数のシリアルインターフェースを用いて双方向に伝送する場合には適用し易いものとなる。
更に、上記ＩＥＣ９５８規格のオーディオ対応フォーマットとは、ＩＥＥＥ１３９４規格におけるＩＥＣ９５８モードオーディオ対応フォーマットであってもよく、ＩＥＥＥ１３９４規格の様々なモードにも適用できる。
【００１５】
また、送信側から受信側に対してパケットの種類に応じた「コピー可」、「コピー不可」を示すコピーフラグを１本のシリアルインタフェースを介して送信した後にデータを複数本のシリアルインタフェースを介して送信し、受信側では静止画パケットのコピーフラグが「コピー可」の場合には受信データを他の媒体に記録（コピー）し、他方、「コピー不可」の場合には受信データを記録（コピー）しない。又、オーディオパケットのコピーフラグが「コピー可」の場合には上記のハイサンプリング周波数を４４．１ｋＨｚにダウンコンバートして他の媒体に記録（コピー）し、他方、「コピー不可」の場合には受信データを記録（コピー）しないようにしてもよい。
【００１６】
また、音声信号以外のデータ、例えば静止画や圧縮音声信号をあるシリアルインタフェースを介して送信する場合には受信側において音声信号用のＤ／Ａコンバータにより雑音が発生しないように、送信側から受信側に対してそのシリアルインタフェースを介してミュートフラグを送信し、受信側ではミュートフラグを受信したシリアルインタフェースについては図５に示すようにミュート処理するようにしてもよい（ステップＳ２４→Ｓ２５）。また、複数本のシリアルインタフェースの内、いくつかが不使用の場合やデータが「０」の場合には、送信側から受信側に対してそのシリアルインタフェースを介してゼロフラグを送信し、受信側では図５に示すようにゼロフラグを受信したシリアルインタフェースからは受信しないようにしてもよい（ステップＳ２２→Ｓ２３）。
複数本のシリアルインフェースを介して送信する場合には、各インタフェース毎にフラグを見る必要がある。
【００１７】
そして、上述したコピーフラグ、ミュートフラグ、又はゼロフラグは、次のようなデータ配列にして送信すれば良い。
図６は、その送信を行うためのＩＥＥＥ１３９４規格のアイソクロナス（Isochronous）転送方式を説明するための図で、図６（ａ）はトランスポート・ストリームを示す。トランスポート・ストリームは、１８８バイトの固定パケットで、例えば、ＤＶＤビデオ規格による画像データやオーディオデータやＤＶＤオーディオ規格によるオーディオデータのビット列などが配列される。
【００１８】
図８は、一例としてそこに配列されるＤＶＤオーディオ規格によるオーディオデータのリニアＰＣＭのＡパック（オーディオパック）の構造を示したものである。このリニアＰＣＭのＡパックはＤＶＤオーディオディスクのデータエリア内に記録されているものである。
このリニアＰＣＭのＡパックは、２０４８バイト以下で構成され、その内訳は１４バイトのパックヘッダとＡパケットにより構成されている。Ａパケットは１７、９又は１４バイトのパケットヘッダと、プライベートヘッダと、１ないし２０１１バイトのオーディオデータ（スクランブルされた又はされないリニアＰＣＭデータ）により構成されている。
【００１９】
プライベートヘッダは、
・８ビットのサブストリームＩＤと、
・ＩＳＲＣ内の４ビットの保留領域と、
・ＩＳＲＣ内の４ビットのＩＳＲＣ番号と、
・ＩＳＲＣ内の８ビットのＩＳＲＣデータと、
・８ビットのプライベートヘッダ長と、
・１６ビットの第１アクセスユニットポインタと、
・６バイトのオーディオデータ情報（ＡＤＩ）と
・０〜７バイトのスタッフィングバイトと、
により構成されている。
【００２０】
ＡＤＩ（オーディオデータ情報）は、
・１ビットのオーディオ・エンファシス・フラグと、
・１＋２ビットの保留領域と、
・４ビットのダウンミックスコードと、
・４ビットのグループ「１」の量子化ワード長「１」と、
・４ビットのグループ「２」の量子化ワード長「２」と、
・４ビットのグループ「１」のオーディオ・サンプリング周波数ｆｓ１と、
・４ビットのグループ「２」のオーディオ・サンプリング周波数ｆｓ２と、
・４ビットの保留領域と、
・４ビットのマルチチャネルタイプと、
・３ビットの保留領域と、
・５ビットのチャネル割り当て情報と、
・８ビットのダイナミックレンジ制御情報と、
により構成されているものである。
【００２１】
再び、図６において、上述の１８８バイトより成る固定パケットは、その先頭にソース・パケット・ヘッダと呼ばれるタイムスタンプが付けられる［図６（ｂ）］。受信側では、このタイムスタンプの時刻に合わせて動画や音声が再生されるようになっている。
そして、これらのデータはそれぞれ４８バイトの複数のデータ・ブロックに分割される［図６（ｃ）］。その分割方法は、１９２バイト×１ブロック，９６バイト×２ブロック，４８バイト×４ブロック，２４バイト×８ブロックの４通である。
【００２２】
次に、複数のデータ・ブロックがまとめられて、一つのアイソクロナス転送パケットが作られる。このまとめられ方は、１２５μｓを１サイクルとし、この１サイクル毎に収まる数のブロックに順次まとめられ、そのブロックの先頭に後述するＩＥＥＥ１３９４用のパケットヘッダが付加される。［図６（ｄ）］では、４８バイトづつに分割されたデータが３ブロック及び２ブロックにまとめられた状態が示されている。
【００２３】
そして、転送時には、図７に示すように、先頭にアービトレイションが付加され、これに続いてサイクルスタートパケットが配列され、更に、このサイクルスタートパケットに続いて所定間隔毎に１２５μｓのパケットが繰り返し配列されて転送されるようになっている。
【００２４】
この１２５μｓ毎のパケットは、パケットヘッダと、データフィールドと、データ誤り検出符号とにより構成されており、
パケットヘッダは、
・１６ビットのデータ長情報と、
・２ビットの後述するＣＩＰ（Common Isochronous Packet）ヘッダの有無を示すタグ（tag）と、
・６ビットのパケットが伝送されるチャンネル割り当て情報と、
・４ビットの処理コードを示すトランザクション（tcode）と、
・４ビットの同期コード（sy）と、
・３２ビットのパケットヘッダの誤り検出符号と、
より構成される。
【００２５】
データフィールドは、
６４ビットのＣＩＰヘッダとデータブロックが格納されるリアルデータとから構成され、そのうちＣＩＰヘッダは４８ビットの保留領域と１６ビットの制御データなどが格納されるようになっており、例えば、前述のパケット種類別に伝送される「コピー可」、「コピー不可」等のコピーフラグ、ミュートフラグ、及びゼロフラグの少なくとも一つの制御フラグや、リアルデータとして格納されるオーディオデータなどのサンプリング周波数４４，１ｋＨｚ、９６ｋＨｚ或いは１９２ｋＨなどのサンプリング周波数情報用として利用される。
【００２６】
次に、図９はディスクプレーヤ１００の他の例で、ＤＶＤビデオディスクとＤＶＤオーディオディスクなどを再生可能なユニバーサルプレーヤを示している。ユニバーサルプレーヤでは制御部１４の制御及び操作部１５、リモコン１６の操作に基づいてＤＶＤビデオディスク、ＤＶＤオーディオディスクなどのディスク１に記録されているデータがドライブ装置２により再生されて復調回路２Ｂにより復調される。ＤＶＤビデオディスクから再生されたビデオ（Ｖ）パックとＤＶＤオーディオディスクから再生された静止画パックは、静止画／Ｖパックデコーダ３によりＤＶＤデコードされてビデオストリームに変換される。なお、このビデオストリームは元々、ＣＳＳ（コンテンツ・スクランブル・システム）方式でスクランブルされている。
【００２７】
そして、図１に示す出力端子５５を介して外部の表示器（不図示）に表示させる場合には、このビデオストリームが伸長／画像変換部４により伸長、デスクランブルなどされ、次いでＤ／Ａ変換器５を介してＶパックはビデオ信号として、静止画パックはサブピクチャ信号として出力される。他方、記録装置２００に転送する場合には２通りあり、第１の方法では、伸長／画像変換部４により伸長、デスクランブルなどされたデータがスクランブラ６によりＣＳＳ方式でスクランブルされ、次いで２本のデータ転送Ｉ／Ｆ７−１、７−２ＩＥＥＥ１３９４又はＩＥＣ９５８のシリアルインタフェースを介して記録装置２００に転送される。第２の方法では、静止画／Ｖパックデコーダによりデコードされたスクランブル付きのビデオストリームがデータ転送Ｉ／Ｆ７−１、７−２及びＩＥＥＥ１３９４又はＩＥＣ９５８のシリアルインタフェースを介して記録装置２００に転送される。
【００２８】
また、ＤＶＤビデオディスク、ＤＶＤオーディオディスクから再生されたオーディオパック（Ａパック）と、ＤＶＤオーディオディスクから再生されたリアルタイムインフォメーションパック（ＲＴＩパック）は、Ａパック／ＲＴＩパックデコーダ８によりＤＶＤデコードされてＤＶＤオーディオストリームとＲＴＩに変換される。なお、このＤＶＤオーディオストリームは元々、ＣＳＳII方式でスクランブルされている。
【００２９】
そして、オーディオ信号を出力端子５５を介して外部のスピーカを介して出力する場合には、このオーディオストリームがＰＣＭ変換／オーディオ信号処理部９によりＰＣＭ変換、デスクランブルなどされてＰＣＭ信号に変換され、次いでＤ／Ａ変換器１０を介して出力される。また、ＲＴＩを外部の表示器（不図示）に表示させる場合には、ＲＴＩが表示信号生成部１１により文字情報に変換されて出力される。他方、記録装置２００に転送する場合にもビデオの場合と同様に２通りあり、第１の方法では、ＰＣＭ変換／オーディオ信号処理部９によりＰＣＭ変換し、例えば、受信側がコピーを要求しているようなときで、コピーを許可しているような場合には、ダウンサンプリング部９Ｂにおいて４４，１ｋＨｚにダウンサンプリングされる。そして、デスクランブルなどされたＰＣＭ信号がスクランブラ１２によりＣＳＳII方式でスクランブルされ、次いで２本のデータ転送Ｉ／Ｆ１３−１、１３−２及びＩＥＥＥ１３９４又はＩＥＣ９５８のシリアルインタフェースを介して記録装置２００に転送される。
【００３０】
第２の方法では、Ａパック／ＲＴＩパックデコーダ８によりデコードされてスクランブル付きのＤＶＤオーディオストリームがデータ転送Ｉ／Ｆ１３−１、１３−２及びＩＥＥＥ１３９４又はＩＥＣ９５８のシリアルインタフェースを介して記録装置２００に転送される。
【００３１】
また、図１０は記録装置２００の他の例で、図９に示すユニバーサルプレーヤ１００により転送されたデータをＤＶＤ−ＲＡＭディスクに記録する装置を示し、ユニバーサルプレーヤ１００によりＩＥＣ９５８又はＩＥＥＥ１３９４のシリアルインタフェースを介して転送されたデータは、データ転送Ｉ／Ｆ２１−１、２１−２を介して受信される。なお、データ転送Ｉ／Ｆ２１−１、２１−２と、ＤＶＤフォーマット化部２２とデスクランブラ２７には、ユニバーサルプレーヤ１００により転送された実データに基づいて制御部３０によりビデオモード又はオーディオモードが設定される。そして、スクランブル付きのデータを媒体２６、例えばＤＶＤ−ＲＡＭディスク２６に記録する場合には、この受信データがＤＶＤフォーマット化部２２によりＤＶＤビデオ規格又はＤＶＤオーディオ規格でフォーマット化され、次いでそのまま変調回路２３に送られたり、バッファ記録部２４にいったん記録された後に変調回路２３に送られる。変調回路２３では媒体に応じた方式で変調され、次いで変調データがドライブ装置２５に送られて、例えばＤＶＤ−ＲＡＭディスク２６に記録される。
【００３２】
他方、デスクランブルしたデータをＤＶＤ−ＲＡＭディスク２６に記録する場合には、デスクランブラ２７により受信データの内、ビデオストリームがＣＳＳ方式でデスクランブルされ、また、オーディオデータがＣＳＳII方式でデスクランブルされる。次いでビデオストリームはＤＶＤビデオエンコーダ２８により圧縮エンコードされてＤＶＤフォーマット化部２２に送られ、また、静止画データは圧縮エンコーダ２９により圧縮エンコードされてＤＶＤフォーマット化部２２に送られる。
また、オーディオデータと著作権情報／及びリアルタイムテキスト情報はそのままＤＶＤフォーマット化部２２に送られ、また、制御情報は制御部３０に送られる。
【００３３】
また、上述の図９では、受信側からコピー要求があった時には、送信側に設けたダウンサンプリング部９Ｂによりダウンサンプリングしてから送信するようにしているが、ダウンサンプリング部を受信側に設けるようにしても良い。
その場合には、図１０において、一点鎖線で示すように、各チャンネル分割用のデコーダ２７Ａとダウンサンプリング２７Ｂとを設けるようにし、図示しない操作部よりオーディオデータのコピー要求をした場合には、ＣＩＰヘッダ内の「コピー可」、「コピー１回可」、「コピー不可」の制御フラグを見る。それが「コピー可」或いは「コピー１回可」の場合には、ＣＩＰヘッダ内のサンプリング周波数情報を見て、それが９６ｋＨｚ或いは１９２ｋＨなどの高サンプリング周波数である場合には、デコーダ２７Ａによりチャンネル分割した後、ダウンサンプリング部２７Ｂにおいて４４，１ｋＨｚにダウンサンプリングし、ＤＶＤフォーマット部２２に供給するようにすれば良い。
【００３４】
また、上記各実施例では、受信装置を記録装置として説明したが、それに限らず、再生装置同士のデータの授受であっても良く、また、記録系と再生系とを一体にした記録再生装置であっても良い。
その記録再生装置の構成としては、例えば、記録系を図１０のような構成とし、再生系として図９のディスクランブラ２７の後段側に図９における復調回路２Ｂを設けると共に、この復調回路２Ｂの後段の一方の系統に静止画Ｖパック・デコーダ３、伸長／画像変換部４及びＤ／Ａ変換部５などから成るビテオ再生系を設け、その他方の系統にＡ/ＲＩＩパックデコーダ８、ＰＣＭ変換／オーディオ信号処理部９、Ｄ／Ａ変換部１０及び表示信号生成部１１などから成るオーディオ再生系を設けた構成とすることができる。
この場合においても、記録ではなく再生を希望する場合には、ダウンサンプリングすることなく、そのままの高サンプリング信号を処理して出力する。
【００３５】
また、上述の実施例におけるインタフェースは、複数接続可能なインタフェースであり、多量のデータをより高速に転送させることを念頭におき、複数のインタフェースを接続した構成で説明したが、それほどの多量データの高速転送を望まないなら、双方向転送可能なＩＥＥＥ１３９４規格のインタフェースを一個用いるようにしてもよい。
【００３６】
【発明の効果】
以上説明したように本発明によれば、高品質のデータの伝送を行なう場合にもダウンサンプリング信号と共にコピーフラグを含む制御データ  や  を伝送するようにしているので、高品質の信号がむやみにコピーされるのを防止できる等の効果を奏する。
また、サンプリング周波数９６ｋＨｚおよび１９２ｋＨｚでサンプリングされている高品位なデータを転送する場合にはデータフィールドの内部に設けられた所定のデータ領域により著作権管理を行うことが可能になるものである。
【図面の簡単な説明】
【図１】  本発明に適用される伝送方法、送信装置及び受信装置の第１の実施形態を示すブロック図である。
【図２】  図１のディスクプレーヤの処理を示すフローチャートである。
【図３】  第２の実施形態の伝送方法、送信装置及び受信装置を示すブロック図である。
【図４】  図３のディスクプレーヤの処理を示すフローチャートである。
【図５】  図１、図３の記録装置の処理を示すフローチャートである。
【図６】  ＩＥＥＥ１３９４規格におけるアイソクロナス転送方式を説明するための図である。
【図７】  転送時のデータ配列の詳細図である。
【図８】  ＤＶＤオーディオ規格によるオーディオデータのリニアＰＣＭのＡパックのデータ構造図である。
【図９】  図１のディスクプレーヤの他の例を示すブロック図である。
【図１０】  図１の記録装置の他の例を示すブロック図である。
【符号の説明】
１００  ディスクプレーヤ（送信装置）
１８８−１〜１８８−４  シリアルインタフェース
２００ａ，２００ｂ  データ転送インタフェース（送信手段）
２００ａ’，２００ｂ’  データ転送インタフェース（受信手段）
２００  記録装置（受信装置）
【図１】
0004097345.tif 000002
【図２】
0004097345.tif 000003
【図３】
0004097345.tif 000004
【図４】
0004097345.tif 000005
【図５】
0004097345.tif 000006
【図６】
0004097345.tif 000007
【図７】
0004097345.tif 000008
【図８】
0004097345.tif 000009
【図９】
0004097345.tif 000010
【図１０】
0004097345.tif 000011